(57)【要約】      （修正有）【課題】装置負担を増大させず迅速な改札処理を実現することができる電子マネー仲介装置及びチャージシステムを提供する。【解決手段】電子マネー仲介装置１００（チャージ機）は、リーダライタ１２０と、入力部１１０と、照会部１３８と、引き出し制御部１４０とを持つ。リーダライタ１２０は、媒体と通信する。入力部１１０は、利用者の入力操作を受け付ける。照会部１３８は、リーダライタが第１の媒体と通信することによって読み取られた第１の媒体の識別情報をサーバ装置（センターサーバ３００）に送信し、第１の媒体のプール金額の照会を行う。引き出し制御部１４０は、入力部に対してなされた利用者の入力操作に応じて、照会部１３８により照会されたプール金額の範囲内で、第１の媒体が保持する電子マネーを増加させるようにリーダライタ１２０を制御する。【選択図】図３
2016170519.tif 000002
【特許請求の範囲】
【請求項１】
媒体と通信するリーダライタと、
利用者の入力操作を受け付ける入力部と、
前記リーダライタが第１の媒体と通信することによって読み取られた前記第１の媒体の識別情報をサーバ装置に送信し、前記第１の媒体のプール金額の照会を行う照会部と、
前記入力部に対してなされた利用者の入力操作に応じて、前記照会部により照会されたプール金額の範囲内で、前記第１の媒体が保持する電子マネーを増加させるように前記リーダライタを制御する引き出し制御部と、
を備える電子マネー仲介装置。
【請求項２】
利用者からの入金を受け付ける入金部と、
前記第２の媒体と前記リーダライタとの通信結果と、前記入力部に対してなされた利用者の入力操作とに基づいて、前記第１の媒体と前記第２の媒体とを対応付けた情報を前記サーバ装置に送信する対応付け部と、
前記第２の媒体が前記リーダライタと通信することに応じて前記入金部により受け付けられた入金の金額を、前記対応付け部により前記第２の媒体に対応付けられた前記第１の媒体に対して蓄積するプール金額として、前記サーバ装置に送信する蓄積部と、
を更に備える、請求項１記載の電子マネー仲介装置。
【請求項３】
前記引き出し制御部は、所定の認証処理を経たことを条件に、前記第１の媒体が保持する電子マネーを増加させるように前記リーダライタを制御する、
請求項１または２記載の電子マネー仲介装置。
【請求項４】
前記引き出し制御部は、前記照会部による照会に応じて前記サーバ装置から返信されるプール金額の範囲内、且つ前記第２の媒体の利用者によって予め設定された上限金額の範囲内で、前記第１の媒体が保持する電子マネーを増加させるように前記リーダライタを制御する、
請求項１から３のうちいずれか１項記載の電子マネー仲介装置。
【請求項５】
前記対応付け部は、複数の前記第１の媒体と、１つの前記第２の媒体とを対応付け可能であり、
前記蓄積部は、１つの前記第２の媒体に対応付けられた複数の前記第１の媒体が存在する場合、前記第２の媒体が前記リーダライタと通信することに応じて前記入金部により受け付けられた入金の金額を、複数の前記第１の媒体に共通するプール金額として、前記サーバ装置に送信し、
前記引き出し制御部は、前記照会部による照会に応じて前記サーバ装置から返信される前記共通するプール金額の範囲内で、前記第１の媒体が保持する電子マネーを増加させるように前記リーダライタを制御する、
請求項２記載の電子マネー仲介装置。
【請求項６】
請求項１から５のうちいずれか１項記載の電子マネー仲介装置と、
前記電子マネー仲介装置と通信し、前記第１の媒体と前記第２の媒体との対応付け、および第２の媒体の保持者によって前記第１の媒体に対して蓄積されたプール金額を、記憶装置に格納して管理する前記サーバ装置と、
を備えるチャージシステム。
【発明の詳細な説明】
【技術分野】
【０００１】
本発明の実施形態は、電子マネー仲介装置、およびチャージシステムに関する。
【背景技術】
【０００２】
一般的に交通系のＩＣカードは、チャージされた電子マネー以上の金額を支払うことができないようになっている。このため、遠隔的に電子マネーをチャージする仕組みが提案されている。しかしながら、従来の技術では、リソースの消費が増大したり処理遅延が生じたりする場合があった。
【先行技術文献】
【特許文献】
【０００３】
【特許文献１】特開２０１２−０２７８０４号公報
【発明の概要】
【発明が解決しようとする課題】
【０００４】
本発明が解決しようとする課題は、装置負担を増大させず迅速な改札処理を実現することができる電子マネー仲介装置、およびチャージシステムを提供することである。
【課題を解決するための手段】
【０００５】
実施形態の電子マネー仲介装置は、リーダライタと、入力部と、照会部と、引き出し制御部とを持つ。リーダライタは、媒体と通信する。入力部は、利用者の入力操作を受け付ける。照会部は、前記リーダライタが第１の媒体と通信することによって読み取られた前記第１の媒体の識別情報をサーバ装置に送信し、前記第１の媒体のプール金額の照会を行う。引き出し制御部は、前記入力部に対してなされた利用者の入力操作に応じて、前記照会部により照会されたプール金額の範囲内で、前記第１の媒体が保持する電子マネーを増加させるように前記リーダライタを制御する。
【図面の簡単な説明】
【０００６】
【図１】実施形態のチャージ機（電子マネー仲介装置）１００の外観構成図。
【図２】実施形態のチャージ機１００とセンターサーバ（サーバ装置）３００とを含むチャージシステム１の構成図。
【図３】実施形態のチャージ機１００の機能構成図。
【図４】カード挿入口１０２にＩＣカードが挿入されたときに表示部１１０により表示される表示画面ＩＭ１の一例を示す図。
【図５】図４におけるスイッチＡ３が操作された場合に表示部１１０により表示される表示画面ＩＭ２の一例を示す図。
【図６】親カードと子カードの登録時に実行される処理の流れの一例を示すシーケンス図。
【図７】図４におけるスイッチＡ１が操作された場合に表示部１１０により表示される表示画面（チャージ先選択画面）ＩＭ３の一例を示す図。
【図８】親カードから子カードにプール金額を蓄積する際に実行される処理の流れの一例を示すシーケンス図。
【図９】実施形態のセンターサーバ３００の機能構成図。
【図１０】親子カードデータベース３２０として格納される情報の一例を示す図。
【図１１】図４におけるスイッチＡ４が操作された場合に表示される表示画面（親カードからのチャージ画面）ＩＭ４の一例を示す図。
【図１２】子カードの利用者がプール金額から引き出し（チャージ）を行う際に表示される表示画面（チャージ金額入力画面）ＩＭ５の一例を示す図。
【図１３】親子カードデータベース３２０として格納される情報の他の例を示す図。
【図１４】子カードの利用者がプール金額からチャージする際に実行される処理の流れの一例を示すシーケンス図。
【図１５】図４におけるスイッチＡ１が操作された場合に表示部１１０により表示される表示画面（チャージ先選択画面）ＩＭ３＊の一例を示す図。
【図１６】親子カードデータベース３２０として格納される情報の他の例を示す図。
【発明を実施するための形態】
【０００７】
以下、実施形態の電子マネー仲介装置、およびチャージシステムを、図面を参照して説明する。以下の説明では、電子マネー仲介装置は、鉄道の駅等に設置され、交通系のＩＣカードが保有する電子マネーをチャージするチャージ機の一機能であるものとして説明するが、電子マネー仲介装置は、乗車券を販売する券売機、あるいは乗り越し精算等を行う精算機の一機能であってもよい。
【０００８】
また、以下の説明では、「媒体」の一例として交通系のＩＣカードを例示するが、「媒体」は、交通系のＩＣカードと同様の決済機能を有する携帯電話等の電子媒体であってもよい。この場合、下記に説明するようにＩＣカードを挿入可能なチャージ機に代えて、電子媒体を翳すことによりチャージを行うことが可能なチャージ機が適用される。
【０００９】
［チャージ機］
図１は、実施形態のチャージ機（電子マネー仲介装置）１００の外観構成図である。チャージ機１００は、例えば、カード挿入口１０２と、紙幣投入口１０４と、硬貨投入口１０６と、釣銭排出口１０８と、表示部１１０とを備える。
【００１０】
カード挿入口１０２には、利用者によって交通系のＩＣカードが挿入される。紙幣投入口１０４には、電子マネーとしてＩＣカードに金額がチャージされる紙幣が投入される。硬貨投入口１０６には、電子マネーとしてＩＣカードに金額がチャージされる硬貨が投入される。釣銭排出口１０８からは、釣銭のうち硬貨が排出される。なお、釣銭のうち紙幣は、紙幣投入口１０４から排出される。表示部１１０は、例えば、タッチパネル式表示装置であり、各種画像を表示すると共に、利用者による入力操作を受け付ける入力部として機能する。なお、これに代えて（或いは加えて）、チャージ機１００は、操作用の機械式キーを備えてもよい。
【００１１】
図２は、実施形態のチャージ機１００とセンターサーバ（サーバ装置）３００とを含むチャージシステム１の構成図である。例えば、鉄道の駅には、駅サーバ５０が設置される。駅サーバ５０は、駅内のチャージ機１００、自動改札機２００、券売機２１０、および精算機２２０とＬＡＮ（Local Area Network）等を介して通信する。チャージ機１００、自動改札機２００、券売機２１０、および精算機２２０は、それぞれ１または複数が駅内に設置される。また、駅サーバ５０は、ＬＡＮやＷＡＮ（Wide Area Network）等のネットワークＮＷを介してセンターサーバ３００と通信可能であり、チャージ機１００その他の駅内の構成要素とセンターサーバ３００との通信を仲介する。このような構成が、鉄道の駅毎に設けられている。なお、駅サーバ５０を省略し、チャージ機１００その他の駅内の構成要素とセンターサーバ３００とが、ネットワークＮＷを介して通信するようにしてもよい。センターサーバ３００の機能および構成については後述する。
【００１２】
図３は、実施形態のチャージ機１００の機能構成図である。チャージ機１００は、図１に示す構成に加えて、リーダライタ１２０と、エンコード／デコード部１２２と、検銭部１２４と、制御部１３０と、通信インターフェース（図ではＩ／Ｆ）１５０とを備える。通信インターフェース１５０は、駅サーバ５０との間で構築されるＬＡＮに接続するための通信インターフェースである。
【００１３】
リーダライタ１２０は、カード挿入口１０２に挿入されたＩＣカードと通信する。リーダライタ１２０は、例えばアンテナを備え、１３．５６［ＭＨｚ］の周波数帯を利用してＩＣカードと無線通信を行う。エンコード／デコード部１２２は、リーダライタ１２０によってＩＣカードから読み取られた情報を復号して制御部１３０に出力すると共に、制御部１３０により指示された情報を暗号化してリーダライタ１２０に出力する。リーダライタ１２０は、エンコード／デコード部１２２から入力された情報をＩＣカードに書き込む。
【００１４】
検銭部１２４は、紙幣投入口１０４または硬貨投入口１０６に投入された金銭を計数し、計数結果を制御部１３０に出力する。
【００１５】
制御部１３０は、例えば、通常チャージ制御部１３２と、対応付け部１３４と、蓄積部１３６と、照会部１３８と、引き出し制御部１４０とを備える。これらの機能部は、例えば、プログラムメモリに格納されたプログラムをＣＰＵ（Central Processing Unit）等のプロセッサが実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。また、エンコード／デコード部１２２は、制御部１３０のプロセッサにより実現されるソフトウェア機能部であってもよい。
【００１６】
通常チャージ制御部１３２は、表示部１１０に対してなされた入力操作に応じて、カード挿入口１０２に挿入されたＩＣカードが保持する電子マネーに、検銭部１２４によって計数された金額の範囲内で金額を加算する通常のチャージ制御を行う。
【００１７】
［対応付け（登録）処理］
対応付け部１３４は、親カード（第２のカード）と子カード（第１のカード）との対応付けを行う。本実施形態において、親カードとは、子カードの保有者に対して電子マネーを供与する者によって保有されるカードである。例えば親子関係にある者のうち親が親カードを使用し、子が子カードを使用するといった態様で使用される。また、職場において経費を管理する者が親カードを使用し、経費を使う者が子カードを使用するといった態様でも使用され得る。
【００１８】
図４は、カード挿入口１０２にＩＣカードが挿入されたときに表示部１１０により表示される表示画面ＩＭ１の一例を示す図である。図示するように、表示画面ＩＭ１には、スイッチＡ１、Ａ２、Ａ３、およびＡ４を含む複数のＧＵＩ（Graphical User Interface）スイッチが設けられる。スイッチＡ２がタッチ操作されると、前述した通常チャージ制御部１３２による通常のチャージ制御が実行される。これについての詳細な説明は省略する。
【００１９】
図４に示すスイッチＡ３が操作されると、子カードを親カードに対応付けて登録する処理が、対応付け部１３４により実行される。図５は、図４におけるスイッチＡ３が操作された場合に表示部１１０により表示される表示画面ＩＭ２の一例を示す図である。図示するように表示画面ＩＭ２には、スイッチＢ１、Ｂ２、およびＢ３を含む複数のＧＵＩスイッチが設けられる。スイッチＢ３が操作されると、子カードの挿入を促す画面（不図示）が表示部１１０により表示される。これに応じて子カードがカード挿入口１０２に挿入されると、親カードと子カードが対応付けられてセンターサーバ３００に登録される。この際に、チャージ機１００は、子カードの識別名およびパスワードを登録するための表示画面（不図示）を表示部１１０に表示させ、親カードの利用者は子カードに対して識別名およびパスワードを登録しておく。親カードの利用者は、例えば子供の名前やニックネーム等を識別名として登録する。子カードの識別名およびパスワードは、親カードと子カードの対応付け情報と共にセンターサーバ３００に登録される。なお、子カードの識別名およびパスワードは、スイッチＢ１を操作することで変更可能である。また、利用者は、スイッチＢ２を操作することで子カードの対応付けを解除することができる。
【００２０】
図６は、親カードと子カードの登録時に実行される処理の流れの一例を示すシーケンス図である。まず、利用者が親カードをチャージ機１００のカード挿入口１０２に挿入する（ステップＳ１００）。チャージ機１００の対応付け部１３４は、センターサーバ３００と通信し、リーダライタ１２０およびエンコード／デコード部１２２が親カードから読み取った親カードの識別情報をセンターサーバ３００に送信する（ステップＳ１０２）。センターサーバ３００は、親カードの識別情報を用いて親カードが正規なＩＣカードであるか否か、および、この時点では親カードであるか子カードであるか不明な場合があるため、当該ＩＣカードが子カードとして親カードに対応付けられているか否かを認証し、認証結果をチャージ機１００に返信する（ステップＳ１０４）。以下の説明では、ＩＣカードが子カードでなく、且つ正規なＩＣカードである旨の認証が得られたものとして説明する。なお、正規なＩＣカードである旨の認証が得られなかった場合、チャージ機１００の対応付け部１３４は、表示部１１０を用いてエラー表示を行い、親カードをカード挿入口１０２から排出して以降の処理を停止する。
【００２１】
次に、利用者は、図４に示すスイッチＡ３を操作し、続いて図５に示すスイッチＢ３を操作する（ステップＳ１０６）。これに応じてチャージ機１００の対応付け部１３４は、子カードの挿入を促す画面を表示部１１０に表示させる（ステップＳ１０８）。利用者は、画面に従って、子カードをチャージ機１００のカード挿入口１０２に挿入する（ステップＳ１１０）。そして、前述したように利用者は、子カードの識別名およびパスワードを入力する（ステップＳ１１２）。
【００２２】
チャージ機１００は、リーダライタ１２０およびエンコード／デコード部１２２が子カードから読み取った識別情報を、ステップＳ１１２で入力された識別名およびパスワードと共にセンターサーバ３００に送信する（ステップＳ１１４）。センターサーバ３００は、ステップＳ１０２で取得した親カードの識別情報と、ステップＳ１１４で取得した子カードの識別情報、識別名、およびパスワードとを対応付けて親子カードデータベース３２０（後述）に記憶させる（ステップＳ１１６）。そして、センターサーバ３００は、対応付けが完了した旨をチャージ機１００に通知する（ステップＳ１１８）。
【００２３】
チャージ機１００の対応付け部１３４は、対応付け（登録）が完了した旨を表示部１１０に表示させた後、子カードをカード挿入口１０２から排出し（ステップＳ１２０）、次いで親カードをカード挿入口１０２から排出する（ステップＳ１２２）。
【００２４】
なお、図６のシーケンス図では、チャージ機１００が２枚のＩＣカードを収容可能な構造を有し、収容したいずれかのＩＣカードと選択的に通信可能であるように記載したが、チャージ機１００は、１枚のＩＣカードのみ収容可能な構造を有してもよい。この場合、チャージ機１００は、子カードが挿入されるのに先立って（例えばステップＳ１０８とステップＳ１１０の間に）親カードをカード挿入口１０２から排出し、その後に子カードの挿入を受け付けるようにすればよい。
【００２５】
［子カードへの蓄積処理］
親カードと子カードがセンターサーバ３００において対応付けられると、子カードへの蓄積が可能となる。蓄積部１３６は、親カードの保有者による、子カードに対するプール金額の蓄積を制御する。蓄積部１３６は、親カードがリーダライタ１２０と通信することに応じて、紙幣投入口１０４または硬貨投入口１０６、および検銭部１２４により受け付けられた入金の金額、或いは親カードの電子マネーからリーダライタ１２０およびエンコード／デコード部１２２を介して引き出すことにより入金される金額を、親カードに対応付けられた子ＩＣカードに蓄積するプール金額として、センターサーバ３００に送信する。なお、紙幣投入口１０４または硬貨投入口１０６、および検銭部１２４、或いはリーダライタ１２０およびエンコード／デコード部１２２は、「入金部」の一例である。
【００２６】
図７は、図４におけるスイッチＡ１が操作された場合に表示部１１０により表示される表示画面（チャージ先選択画面）ＩＭ３の一例を示す図である。図示するように、表示画面ＩＭ３には、スイッチＣ１、Ｃ２、およびＣ３を含む複数のＧＵＩスイッチが設けられる。各スイッチは、親カードに対応付けられた子カードの識別名を表示している。図７に示すように、チャージ機１００およびセンターサーバ３００は、１つの親カードに対して複数の子カードを対応付け可能であってもよい。図７におけるスイッチＣ１、Ｃ２、およびＣ３のいずれかが操作されると、対応する子カードへのプール金額の蓄積が可能となる。親カードの利用者は、「入金部」に対して現金または親カードの保持する電子マネーで入金することで、指定した子カードにプール金額を蓄積することができる。
【００２７】
図８は、親カードから子カードにプール金額を蓄積する際に実行される処理の流れの一例を示すシーケンス図である。まず、利用者が親カードをチャージ機１００のカード挿入口１０２に挿入する（ステップＳ２００）。チャージ機１００の蓄積部１３６は、センターサーバ３００と通信し、リーダライタ１２０およびエンコード／デコード１２２が親カードから読み取った親カードの識別情報（ＩＤ）をセンターサーバ３００に送信する（ステップＳ２０２）。センターサーバ３００は、親カードの識別情報を用いて、親カードが正規なＩＣカードであるか否か、および、この時点では親カードであるか子カードであるか不明な場合があるため、当該ＩＣカードが子カードとして親カードに対応付けられているか否かを認証し、認証結果をチャージ機１００に返信する（ステップＳ２０４）。以下の説明では、ＩＣカードが子カードでなく、且つ正規なＩＣカードである旨の認証が得られたものとして説明する。なお、正規なＩＣカードである旨の認証が得られなかった場合、チャージ機１００の蓄積部１３６は、表示部１１０を用いてエラー表示を行い、親カードをカード挿入口１０２から排出して以降の処理を停止する。
【００２８】
次に、利用者は、図４に示すスイッチＡ１を操作すると共に図７に示すスイッチＣ１からＣ３のいずれかを操作し（ステップＳ２０６）、加算するプール金額を入力して入金を行う（ステップＳ２０８）。これに応じてチャージ機１００は、加算するプール金額を子カードの識別名と共にセンターサーバ３００に送信する（ステップＳ２１０）。センターサーバ３００は、チャージ機１００から受信したプール金額を、識別名から認識される子カードの識別情報に対応付けられているプール金額に加算する（ステップＳ２１２）。
【００２９】
その後、センターサーバ３００は蓄積が完了した旨をチャージ機１００に通知する（ステップＳ２１４）。チャージ機１００の蓄積部１３６は、蓄積が完了したことを示す画面（不図示）を表示部１１０に表示させ、親カードをカード挿入口１０２から排出する（ステップＳ２１６）。
【００３０】
［センターサーバ］
ここで、センターサーバ３００の構成および機能について説明する。図９は、センターサーバ３００の機能構成図である。センターサーバ３００は、通信インターフェース（図ではＩ／Ｆ）３１０と、親子カードデータベース３２０と、対応付け受付部３３０と、蓄積受付部３３２と、照会受付部３３４と、引き出し受付部３３６とを備える。また、センターサーバ３００は既発行のＩＣカードの識別情報の一覧情報を保有している。
【００３１】
通信インターフェース３１０は、ネットワークＮＷに接続するためのネットワークカード等を含む。親子カードデータベース３２０は、例えば、ＨＤＤ（Hard Disk Drive）やＳＳＤ（Solid State Drive）等の記憶装置上に構築される。この記憶装置は、センターサーバ３００が備えるものであってもよいし、ＮＡＳ（Network Attached Storage）装置等を利用した、センターサーバ３００から見た外部装置であってもよい。
【００３２】
図１０は、親子カードデータベース３２０として格納される情報の一例を示す図である。親子カードデータベース３２０は、例えば、複数のレコードを有し、各レコードにおいて、親カード識別情報と、１以上の子カードの識別情報、識別名、プール金額、およびパスワードが格納されている。センターサーバ３００は、このような情報に対し、チャージ機１００から通信インターフェース３１０が受信する情報に基づいて、更新、追加、および削除等の処理を行う。
【００３３】
対応付け受付部３３０は、チャージ機１００の対応付け部１３４の処理によって送信され、通信インターフェース３１０によって受信される情報（親カードの識別情報、子カードの識別情報、子カードの識別名、およびパスワード）に基づいて、親子カードデータベース３２０における親カードの識別情報と子カードの識別情報の対応付け、および当該対応付けの削除等を行う。
【００３４】
蓄積受付部３３２は、チャージ機１００の蓄積部１３６の処理によって送信され、通信インターフェース３１０によって受信される情報（子カードの識別名および加算するプール金額）に基づいて、子カードの識別名に対応するレコードに対してプール金額の加算処理を行う。
【００３５】
照会受付部３３４は、後述するチャージ機１００の照会部１３８の処理によって送信され、通信インターフェース３１０によって受信される情報（子カードの識別情報）に基づいて、親カードの保持者によって子カードに対して蓄積されたプール金額および当該子カードに対応するパスワードをチャージ機１００に送信する処理を行う。
【００３６】
引き出し受付部３３６は、後述するチャージ機１００の引き出し制御部１４０の処理によって送信され、通信インターフェース３１０によって受信される情報（プール金額からチャージする金額）に基づいて、子カードに対して蓄積されたプール金額から、子カードにチャージされた金額を減算する処理を行う。
【００３７】
［照会／引き出し処理］
チャージ機１００の説明に戻る。チャージ機１００の照会部１３８は、リーダライタ１２０が子カードと通信することによって読み取られた子カードの識別情報をセンターサーバ３００に送信し、親カードの保持者によって子カードに対して蓄積されたプール金額およびパスワードの照会を行う。
【００３８】
引き出し制御部１４０は、表示部１１０に対してなされた利用者の入力操作に応じて、照会部１３８による照会に応じてセンターサーバ３００から返信されるプール金額の範囲内で、子カードが保持する電子マネーを増加させるようにリーダライタ１２０を制御する。
【００３９】
図１１は、図４におけるスイッチＡ４が操作された場合に表示される表示画面（親カードからのチャージ画面）ＩＭ４の一例を示す図である。子カードの利用者は、テンキーＤ１や取消キーＤ２を適宜使用しながら、パスワードを入力する。その時点で入力されているパスワードは、内容が秘匿された状態でウインドウＤ３に表示される。スイッチＤ４が操作されることで、パスワードの内容が確定する。
【００４０】
パスワードが正しい場合、引き出し制御部１４０によって図１２に示す表示画面が表示される。なお、パスワードによる認証処理に代えて、他の種類の認証処理が行われてもよい。図１２は、子カードの利用者がプール金額から引き出し（チャージ）を行う際に表示される表示画面（チャージ金額入力画面）ＩＭ５の一例を示す図である。利用者は、テンキーＥ１や取消キーＥ２を適宜使用しながら、プール金額から引き出す金額を入力する。その時点で入力されている金額は、ウインドウＥ３に表示される。また、表示画面ＩＭ５には、今回の操作で入力可能な上限金額Ｅ４が表示される。上限金額Ｅ４としては、予め設定された設定値と、プール金額とのうち低い金額が表示される。設定値は、例えば、一回の操作あたり、または一日あたりの上限金額として固定値に設定される。また、親カードの利用者の入力操作によって、一回の操作あたり、または一日あたりの任意の上限金額が、設定値として設定されてもよい。この場合、親子カードデータベース３２０には、図１３に示すような情報が格納される。図１３は、親子カードデータベース３２０として格納される情報の他の例を示す図である。図示するように、親子カードデータベース３２０には、親カードに対応付けられて上限金額の情報が格納されている。上限金額は、チャージ機１００に対し利用者が指定し、チャージ機１００からセンターサーバ３００に送信されて親子カードデータベース３２０に格納される。なお、図１３の例では、ある親カードに対して上限金額が設定されるように表現したが、上限金額は、子カードのそれぞれに対して設定されてもよい。スイッチＥ５が操作されることで、プール金額から引き出され、子カードにチャージされる金額が確定する。
【００４１】
図１４は、子カードの利用者がプール金額からチャージする際に実行される処理の流れの一例を示すシーケンス図である。まず、利用者が子カードをチャージ機１００のカード挿入口１０２に挿入する（ステップＳ３００）。チャージ機１００の照会部１３８は、センターサーバ３００と通信し、子カードから読み取った子カードの識別情報をセンターサーバ３００に送信する（ステップＳ３０２）。センターサーバ３００は、子カードの識別情報を用いて親子カードデータベース３２０を検索し（ステップＳ３０４）、検索の結果として得られた、子カードに対応付けられたプール金額およびパスワードをチャージ機１００に送信する（ステップＳ３０６）。
【００４２】
子カードの利用者は、図１１および図１２で説明したように、パスワードを入力すると共にプール金額から子カードにチャージする金額を入力する（ステップＳ３０８）。チャージ機１００の引き出し制御部１４０は、入力内容に応じて子カードにチャージするようにリーダライタ１２０を制御する（ステップＳ３１０）。次に、チャージ機１００の引き出し制御部１４０は、チャージした金額の情報をセンターサーバ３００に通知する（ステップＳ３１２）。センターサーバ３００は、チャージされた金額をプール金額から減算して親子カードデータベース３２０を書き換え（ステップＳ３１４）、書き換え完了通知をチャージ機１００に送信する（ステップＳ３１６）。チャージ機１００の引き出し制御部１４０は、子カードをカード挿入口１０２から排出する（ステップＳ３１８）。
【００４３】
以上説明した処理によれば、チャージ機１００およびセンターサーバ３００は、装置負担を増大させず迅速な改札処理を実現することができる。仮に、自動改札機２００の方で実施形態のチャージ機１００と同様の処理を行う場合、自動改札機２００がＩＣカードと通信する度にセンターサーバ３００と通信する必要が生じ、通信所要時間によって処理遅延、ひいては人の渋滞が生じる場合がある。また、これを避けるために特定の駅の自動改札機２００のみが予め子カードへのチャージのために待機する場合、その特定の駅以外では子カードをチャージすることができず、利便性が低いものとなってしまう。更に、チャージに備えて待機する自動改札機２００の監視負荷も増大する。
【００４４】
（変形例）
上記実施形態では、親カードの利用者は、対象の子カードを特定して金額を蓄積するものとして説明したが、複数の子カードが親カードに対応付けられている場合、親カードの利用者は、子カードを特定せず、登録した「子カード群」に対して金額を蓄積できるようにしてもよい。この場合、図４におけるスイッチＡ１が操作されると、例えば図１５に示す表示画面ＩＭ３＊が表示される。
【００４５】
図１５は、図４におけるスイッチＡ１が操作された場合に表示部１１０により表示される表示画面（チャージ先選択画面）ＩＭ３＊の一例を示す図である。図１５の表示画面ＩＭ３＊では、個別の子カードへのプール金額の蓄積を指示するためのスイッチＣ１、Ｃ２、およびＣ３に加えて、識別名ＸＸＸ、ＹＹＹ、およびＺＺＺで表される子カード群全体への共通プール金額の蓄積を指示するためのスイッチＣ４が設けられる。子カード群の登録は、図５のスイッチＢ３が操作されることで実行される処理の中で行われる。共通プール金額が蓄積されている場合、識別名ＸＸＸ、ＹＹＹ、およびＺＺＺで表される子カードのいずれによっても、共通プール金額からのチャージが可能となる。また、この場合、親子カードデータベース３２０には、図１６に示すような情報が格納される。図１６は、親子カードデータベース３２０として格納される情報の他の例を示す図である。図示するように、共通プール金額を設定する子カードの識別名（または識別情報）と、共通プール金額とが、親カードに対応付けられて格納されてよい。
【００４６】
また、実施形態では、親カードから子カードへの一方向にプール金額の蓄積が可能なものとして説明したが、相互にプール金額を蓄積し合うことを可能としてもよい。この場合、夫婦間や同僚間でプール金額を蓄積し合うといった利用態様が考えられる。
【００４７】
以上説明した少なくともひとつの実施形態によれば、リーダライタ１２０が子カードと通信することによって読み取られた子カードの識別情報をセンターサーバ３００に送信し、子カードに対して蓄積されたプール金額であって、親カードの保持者によって子カードに対して蓄積されたプール金額の照会を行う照会部１３８と、表示部（入力部）１１０に対してなされた利用者の入力操作に応じて、照会部１３８による照会に応じてサーバ装置から返信されるプール金額の範囲内で、子カードが保持する電子マネーを増加させるようにリーダライタ１２０を制御する引き出し制御部１４０と、を持つことにより、装置負担を増大させず迅速な改札処理を実現することができる。
【００４８】
また、実施形態によれば、引き出し制御部１４０が、パスワード認証等の所定の認証処理を経たことを条件に、子カードが保持する電子マネーを増加させるようにリーダライタ１２０を制御するため、子カードの紛失時や盗難時に意図せぬ引き出しがなされるのを抑制することができる。
【００４９】
また、実施形態によれば、引き出し制御部１４０が、照会部１３８による照会に応じてセンターサーバ３００から返信されるプール金額の範囲内、且つ親カードの利用者によって予め設定された上限金額の範囲内で、子カードが保持する電子マネーを増加させるようにリーダライタ１２０を制御するため、子カードの利用者による電子マネーの浪費を抑制することができる。
【００５０】
また、実施形態によれば、対応付け部１３４が、複数の子ＩＣカードと、１つの親カードとを対応付け可能であり、蓄積部１３６が、１つの親カードに対応付けられた複数の子カードが存在する場合、親カードがリーダライタ１２０と通信することに応じて入金部により受け付けられた入金の金額を、複数の子カードに共通するプール金額として、センターサーバ３００に送信し、引き出し制御部１４０が、照会部１３８による照会に応じてセンターサーバ３００から返信される共通するプール金額の範囲内で、子カードが保持する電子マネーを増加させるようにリーダライタ１２０を制御することにより、複数の子カードに対して一元的にプール金額を蓄積することができる。この結果、利用者にとっての利便性を向上させることができる。
【００５１】
上記実施形態は、以下のように表現することができる。
アンテナを有し、無線により媒体と通信するリーダライタと、
利用者の入力操作を受け付ける入力部と、
前記リーダライタが第１の媒体と通信することによって読み取られた前記第１の媒体の識別情報をサーバ装置に送信し、前記第１の媒体に対して蓄積されたプール金額であって、第２の媒体の保持者によって前記第１の媒体に対して蓄積されたプール金額の照会を行う照会部と、
前記入力部に対してなされた利用者の入力操作に応じて、前記照会部による照会に応じて前記サーバ装置から返信されるプール金額の範囲内で、前記第１の媒体が保持する電子マネーを増加させるように前記リーダライタを制御する引き出し制御部と、
を備える電子マネー仲介装置。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１…チャージシステム、５０…駅サーバ、１００…チャージ機、１０２…カード挿入口、１０４…紙幣投入口、１０６…硬貨投入口、１０８…釣銭排出口、１１０…表示部、１２０…リーダライタ、１２２…エンコード／デコード部、１２４…検銭部、１３０…制御部、１３２…通常チャージ制御部、１３４…対応付け部、１３６…蓄積部、１３８…照会部、１４０…引き出し制御部、１５０…通信インターフェース、３００…センターサーバ
【図１】
2016170519.tif 000003
【図２】
2016170519.tif 000004
【図３】
2016170519.tif 000005
【図４】
2016170519.tif 000006
【図５】
2016170519.tif 000007
【図６】
2016170519.tif 000008
【図７】
2016170519.tif 000009
【図８】
2016170519.tif 000010
【図９】
2016170519.tif 000011
【図１０】
2016170519.tif 000012
【図１１】
2016170519.tif 000013
【図１２】
2016170519.tif 000014
【図１３】
2016170519.tif 000015
【図１４】
2016170519.tif 000016
【図１５】
2016170519.tif 000017
【図１６】
2016170519.tif 000018